(57)【要約】本発明は、移動端末を識別し、あるいはアップリンクのチャネルを識別するためにＩＤを使用するように構成された移動通信ネットワークにおける基地局で使用されるように構成された、第１のユニットに関する。第１のユニットは、干渉低減の目的で認識すべき少なくとも第２の基地局に属した、移動端末もしくはチャネルの少なくとも１つの追加ＩＤの情報を管理する手段と、好ましくは、前記追加ＩＤによって識別された移動端末もしくはチャネルはアクティブであるかどうかを検出する手段と、追加ＩＤによって識別されたアクティブな移動端末もしくはチャネルによって引き起こされたセル間干渉を低減する手段とを備える。また本発明は、少なくとも１つのＩＤを少なくとも第２の基地局が識別できるようにする目的で、移動端末を識別するため、またはチャネルを識別するために少なくとも１つのＩＤを予約する手段を備えた第２のユニットに関連する。
2009514325.tif 000002
【特許請求の範囲】
【請求項１】
移動通信ネットワークにおける基地局で使用され、移動端末を識別するためのＩＤ又はアップリンクにおけるチャネルを識別するためのＩＤを使用するように構成された第１のユニットであって、
少なくとも第２の基地局に従属した移動端末又はチャネルについての少なくとも１つの追加的なＩＤの情報であって干渉低減工程において認識される必要のある情報を管理する管理手段と、
前記追加的なＩＤによって識別される移動端末又はチャネルによって引き起こされるセル間干渉を低減する低減手段と
を含むことを特徴とする第１のユニット。
【請求項２】
前記追加的なＩＤは、拡散符号である
ことを特徴とする請求項１に記載の第１のユニット。
【請求項３】
前記追加的なＩＤは、スクランブリング符号であり、
前記移動通信ネットワークは、ＣＤＭＡを技術基盤としたネットワークである
ことを特徴とする請求項２に記載の第１のユニット。
【請求項４】
前記追加的なＩＤは、スクランブリング符号であり、
前記移動通信ネットワークは、ＯＦＤＭを技術基盤としたネットワークである
ことを特徴とする請求項２に記載の第１のユニット。
【請求項５】
前記追加的なＩＤは、トレーニングシーケンスを含んでおり、
前記移動通信ネットワークは、ＧＳＭネットワークである
ことを特徴とする請求項１に記載の第１のユニット。
【請求項６】
前記ＩＤによって識別される前記移動端末又はチャネルがアクティブであるかどうかを検出する検出手段をさらに含み、
前記低減手段は、前記ＩＤによって識別される、アクティブな前記移動端末又はチャネルによって引き起こされるセル間干渉を低減する
ことを特徴とする請求項１に記載の第１のユニット。
【請求項７】
前記検出手段は、前記ＩＤを割り当てられた前記移動端末についての受信電力と前記基地局によってサービスを提供されている複数の移動端末についての受信電力とを比較する比較手段を含む
ことを特徴とする請求項１ないし６のいずれか１項に記載の第１のユニット。
【請求項８】
前記低減手段は、干渉除去装置である
ことを特徴とする請求項１に記載の第１のユニット。
【請求項９】
前記低減手段は、マルチユーザ検出装置である
ことを特徴とする請求項１に記載の第１のユニット。
【請求項１０】
前記追加的なＩＤの情報は、前記第１のユニット内でハードコードされている
ことを特徴とする請求項１ないし９のいずれか１項に記載の第１のユニット。
【請求項１１】
認識される必要のある追加的なＩＤの情報を、前記基地局を制御しているノード装置から受信する受信手段をさらに含む
ことを特徴とする請求項１ないし９のいずれか１項に記載の第１のユニット。
【請求項１２】
前記受信された情報には、前記ノード装置によって制御されている他の基地局に属している追加的なＩＤが含まれている
ことを特徴とする請求項１１に記載の第１のユニット。
【請求項１３】
前記受信された情報には、前記基地局に隣接している隣接セルの基地局に属している予約済みのスクランブリング符号が含まれている
ことを特徴とする請求項１１に記載の第１のユニット。
【請求項１４】
隣接セルの一覧である隣接セルリストは、他の基地局において使用されるユニットに属している追加的なＩＤについての知識をどのように分配するかを決定する際に前記ノード装置のガイドとなるように、構成されている
ことを特徴とする請求項１１に記載の第１のユニット。
【請求項１５】
前記受信された情報には、現時点において所定距離内に配置されている追加的なＩＤが含まれている
ことを特徴とする請求項１ないし９のいずれか１項に記載の第１のユニット。
【請求項１６】
標準化された情報要素として搭載された前記追加的なＩＤの情報を受信する手段をさらに含む
ことを特徴とする請求項１に記載の第１のユニット。
【請求項１７】
移動通信ネットワークにおける基地局で使用され、移動端末を識別するためのＩＤ又はアップリンクにおけるチャネルを識別するためのＩＤを使用するように構成された第２のユニットであって、
移動端末を識別するために使用される少なくとも１つのＩＤ又は前記基地局によってサービスを提供されているチャネルを識別するために使用される少なくとも１つのＩＤを、少なくとも第２の基地局において識別可能とするために、予約する予約手段を含む
ことを特徴とする第２のユニット。
【請求項１８】
標準化された情報要素として搭載された予約済みの前記ＩＤの情報をノード装置へ送信する送信手段をさらに含む
ことを特徴とする請求項１７に記載の第２のユニット。
【請求項１９】
前記少なくとも１つの予約済みＩＤとして使用するために、前記ノード装置において事前定義された複数のＩＤを予約する手段をさらに含む
ことを特徴とする請求項１７に記載の第２のユニット。
【請求項２０】
前記予約済みのＩＤは、拡散符号である
ことを特徴とする請求項１７に記載の第２のユニット。
【請求項２１】
前記予約済みのＩＤは、スクランブリング符号であり、
前記移動通信ネットワークは、ＣＤＭＡを技術基盤としたネットワークである
ことを特徴とする請求項２０に記載の第２のユニット。
【請求項２２】
前記予約済みのＩＤは、スクランブリング符号であり、
前記移動通信ネットワークは、ＯＦＤＭを技術基盤としたネットワークである
ことを特徴とする請求項２０に記載の第２のユニット。
【請求項２３】
前記予約済みのＩＤは、トレーニングシーケンスを含んでおり、
前記移動通信ネットワークは、ＧＳＭネットワークである
ことを特徴とする請求項１７に記載の第２のユニット。
【請求項２４】
移動端末を識別するためのＩＤ又はアップリンクにおけるチャネルを識別するためのＩＤを使用するように構成され、移動通信ネットワークにおける基地局において実行される方法であって、
少なくとも第２の基地局に従属した移動端末又はチャネルについての少なくとも１つの追加的なＩＤの情報であって干渉低減工程において認識される必要のある情報を管理する管理ステップと、
前記追加的なＩＤによって識別される移動端末又はチャネルによって引き起こされるセル間干渉を低減する低減ステップと
を含むことを特徴とする方法。
【請求項２５】
前記追加的なＩＤは、拡散符号である
ことを特徴とする請求項２４に記載の方法。
【請求項２６】
前記追加的なＩＤは、スクランブリング符号であり、
前記移動通信ネットワークは、ＣＤＭＡを技術基盤としたネットワークである
ことを特徴とする請求項２５に記載の方法。
【請求項２７】
前記追加的なＩＤは、スクランブリング符号であり、
前記移動通信ネットワークは、ＯＦＤＭを技術基盤としたネットワークである
ことを特徴とする請求項２５に記載の方法。
【請求項２８】
前記追加的なＩＤは、トレーニングシーケンスを含んでおり、
前記移動通信ネットワークは、ＧＳＭネットワークである
ことを特徴とする請求項２４に記載の方法。
【請求項２９】
前記低減ステップの前に実行される、前記ＩＤによって識別される前記移動端末又はチャネルがアクティブであるかどうかを検出する検出ステップをさらに含み、
前記低減ステップでは、前記ＩＤによって識別される、アクティブな前記移動端末又はチャネルによって引き起こされるセル間干渉を低減する
ことを特徴とする請求項２４に記載の方法。
【請求項３０】
前記検出ステップは、前記ＩＤを割り当てられた前記移動端末についての受信電力と前記基地局によってサービスを提供されている複数の移動端末についての受信電力とを比較する比較ステップを含む
ことを特徴とする請求項２４ないし２９のいずれか１項に記載の方法。
【請求項３１】
前記低減ステップは、干渉除去装置によって実行される
ことを特徴とする請求項２４に記載の方法。
【請求項３２】
前記低減ステップは、マルチユーザ検出装置によって実行される
ことを特徴とする請求項２４に記載の方法。
【請求項３３】
前記追加的なＩＤの情報は、前記第１のユニット内でハードコードされている
ことを特徴とする請求項２４ないし３１のいずれか１項に記載の方法。
【請求項３４】
認識される必要のある追加的なＩＤの情報を、前記基地局を制御しているノード装置から受信する受信ステップをさらに含む
ことを特徴とする請求項２４ないし３３のいずれか１項に記載の方法。
【請求項３５】
前記受信された情報には、前記ノード装置によって制御されている他の基地局に属している追加的なＩＤが含まれている
ことを特徴とする請求項３４に記載の方法。
【請求項３６】
前記受信された情報には、前記基地局に隣接している隣接セルの基地局に属している予約済みのスクランブリング符号が含まれている
ことを特徴とする請求項３４に記載の方法。
【請求項３７】
隣接セルの一覧である隣接セルリストは、他の基地局において使用されるユニットに属している追加的なＩＤについての知識をどのように分配するかを決定する際に前記ノード装置のガイドとなるように、構成されている
ことを特徴とする請求項３５に記載の方法。
【請求項３８】
前記受信された情報には、現時点において所定距離内に配置されている追加的なＩＤが含まれている
ことを特徴とする請求項２４ないし３４のいずれか１項に記載の方法。
【請求項３９】
標準化された情報要素として搭載された前記追加的なＩＤの情報を受信するステップをさらに含む
ことを特徴とする請求項３４に記載の方法。
【請求項４０】
移動通信システムにおける基地局が備えるコンピュータの内蔵メモリにロードされるコンピュータプログラムであって、
請求項２４ないし３９のいずれか１項に記載の方法に含まれる各ステップを前記コンピュータに実行させることを特徴とするコンピュータプログラム。
【請求項４１】
通信システムにおける基地局が備えるコンピュータに、請求項２４ないし３９のいずれか１項に記載の方法に含まれる各ステップを実行させるための制御を行うコンピュータプログラムであって、コンピュータ可読記憶媒体に記憶されていることを特徴とするコンピュータプログラム。
【請求項４２】
移動端末を識別するためのＩＤ又はアップリンクにおけるチャネルを識別するためのＩＤを使用するように構成され、移動通信ネットワークにおける基地局において実行される方法であって、
移動端末を識別するために使用される少なくとも１つのＩＤ又は前記基地局によってサービスを提供されているチャネルを識別するために使用される少なくとも１つのＩＤを、少なくとも第２の基地局において識別可能とするために、予約する予約ステップを含むことを特徴とする方法。
【請求項４３】
標準化された情報要素として搭載された予約済みの前記ＩＤの情報をノード装置へ送信する送信ステップをさらに含む
ことを特徴とする請求項４２に記載の方法。
【請求項４４】
前記少なくとも１つの予約済みＩＤとして使用するために、前記ノード装置において事前定義された複数のＩＤを予約するステップをさらに含む
ことを特徴とする請求項４２に記載の方法。
【請求項４５】
前記予約済みのＩＤは、拡散符号である
ことを特徴とする請求項４２に記載の方法。
【請求項４６】
前記予約済みのＩＤは、スクランブリング符号であり、
前記移動通信ネットワークは、ＣＤＭＡを技術基盤としたネットワークである
ことを特徴とする請求項４５に記載の方法。
【請求項４７】
前記予約済みのＩＤは、スクランブリング符号であり、
前記移動通信ネットワークは、ＯＦＤＭを技術基盤としたネットワークである
ことを特徴とする請求項４５に記載の方法。
【請求項４８】
前記予約済みのＩＤは、トレーニングシーケンスを含んでおり、
前記移動通信ネットワークは、ＧＳＭネットワークである
ことを特徴とする請求項４２に記載の方法。
【請求項４９】
移動通信システムにおける基地局が備えるコンピュータの内蔵メモリにロードされるコンピュータプログラムであって、
請求項４２ないし４８のいずれか１項に記載の方法に含まれる各ステップを前記コンピュータに実行させることを特徴とするコンピュータプログラム。
【請求項５０】
通信システムにおける基地局が備えるコンピュータに、請求項４２ないし４８のいずれか１項に記載の方法に含まれる各ステップを実行させるための制御を行うコンピュータプログラムであって、コンピュータ可読記憶媒体に記憶されていることを特徴とするコンピュータプログラム。
【請求項５１】
移動端末を識別するためのＩＤ又はアップリンクにおけるチャネルを識別するためのＩＤを使用するように構成された少なくとも１つの第１の基地局を制御する、移動通信ネットワークにおけるノード装置であって、
少なくとも第２の基地局に従属した移動端末又はチャネルについての少なくとも１つの追加的なＩＤの情報であって、第１の基地局において実行される干渉低減工程において認識される必要のある情報を受信する受信手段と、
前記受信した情報を送信する送信手段と
を含むことを特徴とするノード装置。
【請求項５２】
移動端末又はチャネルを識別するための少なくとも１つの追加的なＩＤの前記情報は、該情報を使用するように適合した情報要素（Ｉｎｆｏｒｍａｔｉｏｎ Ｅｌｅｍｅｎｔｓ）に搭載されて送信される
ことを特徴とする請求項５１に記載のノード装置。
【請求項５３】
前記少なくとも１つの追加的なＩＤを前記少なくとも１つの第１の基地局に分配するための隣接セルリストを利用する利用手段をさらに含む
ことを特徴とする請求項５１又は５２に記載のノード装置。
【請求項５４】
前記ノード装置は、ＣＤＭＡを技術基盤としたネットワークにおける無線ネットワーク制御装置である
ことを特徴とする請求項５１ないし５３のいずれか１項に記載のノード装置。
【請求項５５】
移動端末を識別するためのＩＤ又はアップリンクにおけるチャネルを識別するためのＩＤを使用するように構成された、移動通信ネットワークにおける基地局であって、
請求項１ないし１７のいずれか１項に記載された第１のユニット、
請求項１８ないし２４のいずれか１項に記載された第２のユニット、又は、
該第１のユニット及び該第２のユニットの双方
を含むことを特徴とする基地局。
【発明の詳細な説明】
【技術分野】
【０００１】
本発明は、移動通信ネットワークに関する。詳細には、移動通信ネットワークのアップリンク方向におけるセル間干渉の低減に関する。
【背景技術】
【０００２】
デジタル通信システムには、時分割多元接続（ＴＤＭＡ）システム、例えばＧＳＭ通信標準およびＧＳＭ／ＥＤＧＥのようなその拡張版に準拠するセルラー無線電話システムと、符号分割多元接続（ＣＤＭＡ）システム、例えばＩＳ−９５、ｃｄｍａ２０００、ＷＣＤＭＡ通信標準に準拠するセルラー無線電話システムとが含まれる。デジタル通信システムには、また、第３世代（３Ｇ）移動システムの仕様を定めるユニバーサル・モバイル・テレコミュニケーション・システム（ＵＭＴＳ）標準に準拠するセルラー無線電話システムも含まれる。デジタル通信システムの別の例は、直交周波数分割多重（ＯＦＤＭ）を技術基盤としたネットワークである。
【０００３】
本発明はＷＣＤＭＡに基づくＵＭＴＳネットワークとの関連で記述されることになるが、本発明はそのようなネットワークに限定されないことは理解されるべきである。ＵＭＴＳネットワークの無線アクセスネットワークは、ＵＭＴＳ地上無線アクセスネットワーク（ＵＴＲＡＮ）と呼ばれる。ＵＴＲＡＮは、図１に示すが、コアネットワーク（ＣＮ）に接続された少なくとも１つの無線ネットワークシステム（ＲＮＳ）を備える。ＣＮは、他のネットワーク、例えばインターネットやＧＳＭシステムのような他の移動ネットワークや固定電話ネットワークへの接続が可能である。ＲＮＳは、少なくとも１つの無線ネットワーク制御装置（ＲＮＣ）を備える。さらに、各ＲＮＣは、ＲＮＣに接続されて基地局とも呼ばれる、複数のノードＢを制御する。各ノードＢは、１つ以上のセルをカバーし、前記セルの中でユーザ装置（ＵＥ）にサービス提供するように構成されている。最後に、移動端末とも呼ばれるＵＥは、広帯域符号分割多元接続（ＷＣＤＭＡ）に基づく無線インタフェースで１つ以上のノードＢに接続される。
【０００４】
本明細書は、簡潔にするためＷＣＤＭＡシステムに焦点を当てているが、本願で説明した原理は、アップリンク方向でユーザまたはチャネルを識別するのに識別情報（ＩＤ）が用いられるような他のデジタル通信システムにおいても実装され得ることは理解されるであろう。上記のＷＣＤＭＡネットワークで用いられるＩＤについて、以下で説明する。
【０００５】
ＷＣＤＭＡをベースにしたＵＭＴＳネットワークは、直接拡散によるスペクトル拡散法に基づいている。ユーザ（すなわち移動端末）とアップリンク方向（すなわち移動端末から基地局へ）における物理チャネルとを識別するため、２つの異なる拡散符号が用いられる。拡散符号は２つのステップで加えられ、最初にシンボル長の長さの反復周期を持つチャネライゼーションコード、次いでシンボル長よりかなり長い周期を持つスクランブリングコードが加えられる。
【０００６】
アップリンクにおいては、ユーザを識別するのにスクランブリングコードが用いられ、特定のユーザのためのさまざまな専用チャネルを識別するのにチャネライゼーションコードが用いられる。例えば、移動端末内での同時並行の音声通信およびデータ通信において、それぞれの専用チャネルを識別するため、チャネライゼーションコードが用いられる。また、この構造は、例えば、ＣＤＭＡをベースにしたネットワークのもう１つの例であるＣＤＭＡ２０００ネットワークによっても用いられる。
【０００７】
ＣＤＭＡシステムではユーザ同士が同じ無線リソースを共有するのであるから、各物理チャネルが必要以上の電力を使わないことが大切である。これは送信電力制御メカニズムによって達成されるが、このメカニズムでは、基地局および／またはＲＮＣが、自分の専用物理チャネル（ＤＰＣＨ）についての信号対干渉比（ＳＩＲ）を推定し、推定されたＳＩＲを干渉値と比較し、そして、移動局のＤＰＣＨ送信電力を適切なレベルに調整するよう移動端末に知らせる。ここではＷＣＤＭＡの用語が使われているが、他のシステムも対応する用語を有していることは理解されるであろう。スクランブリングコード、チャネライゼーションコード、および送信電力制御は、当技術分野では良く知られている。
【０００８】
アップリンク干渉の低減は、セルラーシステムの収容能力および／またはカバー範囲（カバレッジ）を拡大できる可能性がある重要な方法であるとされている。干渉を低減する方法の１つは、干渉の除去である。経験される各リンクからのアップリンク干渉の寄与は、干渉の除去によって減少するため、干渉の一部が除去された後では、受入れ可能な信号対干渉レベルおよび信号対雑音レベルに達するために各移動端末が用いる送信電力は、より少なくて済む。カバー範囲の確率は、リンクバジェットに直接関係し、より詳細には、必要な送信電力が最大送信アップリンク電力より低い確率に直接関係する。干渉除去に伴う干渉レベルの低下は、利用可能なアップリンク電力が、基地局からさらに遠くに離れても足りることを意味する。また同様に、他のユーザからの干渉の低減は、干渉除去利得を容量利得とみなしてもよいことを意味し、より多くのユーザが動作することを可能にする。アップリンク容量は、アップリンク雑音の増加、すなわち、雑音電力に対する総受信アップリンク電力に関連する。知覚される各リンクからのアップリンク干渉の寄与が減少するのであるから、干渉除去を用いた場合、より多くのユーザを、アップリンク雑音増加要件に合致させることができるようになる可能性がある。従って、干渉除去利得は、カバー範囲利得と容量利得のいずれか一方として利用されてもよいし、または両方の組み合わせとして利用されてもよい。
【０００９】
もう１つの干渉除去方法は、マルチユーザ検出である。通常、マルチユーザ受信機は、従来型のＲＡＫＥ受信機上の復号性能を向上させるために、接続先ユーザに関するチャネル推定値を利用する。最適な解決策は、一般に扱いやすいものではなく、次善の受信機を対象にして幅広く研究が行われてきた。それらはすべて、既知のユーザすなわち接続先ユーザからチャネルを推定することを目指している。しかし、他のセルに接続しているユーザは、除去できない干渉であると考えられる。
【００１０】
３ＧＰＰリリース６において、ＷＣＤＭＡ標準が、エンハンストアップリンク構想を伴って拡張されている。この構想は、エンハンスト専用トランスポートチャネルすなわちＥ−ＤＣＨを導入する。詳細は、３ＧＰＰ  ＴＳ  ２５．３０９「ＦＤＤエンハンストアップリンクの概要」の中に説明されている。エンハンストアップリンク構想によって、ＷＣＤＭＡアップリンクにおける大幅に高いピークデータ速度が可能になる。
【発明の開示】
【発明が解決しようとする課題】
【００１１】
上記のエンハンストアップリンク構想では、１人または少数のユーザがすべてのアップリンクのリソースを割当てられる状況に直面する可能性がある。そのような状況では、場合によってはあり得るたった１人のユーザからのセル間干渉の寄与が、非常に大きくなる可能性がある。これらのユーザを制御するのは、絶対付与チャネルを介して良好かつ正確な制御を行う在圏ノードＢ（通常、ダウンリンクにおける最良の在圏ノードＢ）に限定されることもあるし、また、相対付与チャネルを介して正確さでは劣る制御を行う、アクティブなセット（集合）に属した他のノードＢに限定されることもある。よって、在圏ノードＢは、Ｅ−ＤＣＨ  ＵＥのデータ速度（すなわち干渉）を、絶対付与チャネル（ＡＧＣＨ）を使って非常に詳細に制御することができる。他方、Ｅ−ＤＣＨアクティブ集合（Ｅ−ＤＣＨアクティブ集合は、ＵＥへのＥ−ＤＣＨ接続を有する基地局を含む）に属した他のノードＢもデータ速度に影響を与えるが、それほど詳細ではなく、相対付与チャネル（ＲＧＣＨ）を介して、例えば相対的に影響を与えるにすぎない。しかし、Ｅ−ＤＣＨアクティブ集合の外側にあるノードＢは、データ速度をまったく制御できない。これは、Ｅ−ＤＣＨアクティブ集合の外側にあるノードＢは、セル間干渉を制御できないことを意味する。
【００１２】
ここで留意すべきだが、この問題はエンハンストアップリンクを備えたＷＣＤＭＡネットワークに限られることはない。場合によってはあり得るたった１人のユーザからのセル間干渉の寄与が、Ｅ−ＤＣＨユーザにとってはるかに大きくもなりうる。そのような高いセル間干渉は、Ｅ−ＤＣＨピークデータ速度を決定的に制限する。この場合、Ｅ−ＤＣＨアクティブ集合の外側では対応するスクランブリングコードが知られていないため、干渉除去は選択できない。
【００１３】
他のセルラーネットワーク、例えばＧＳＭ／ＥＤＧＥ、Ｄ−ＡＭＰＳ  ＩＳ−１３６、ＩＳ−９５、ｃｄｍａ２０００、進化した３Ｇ、４Ｇ、ＯＦＤＭシステム等においても、各基地局は自分のサービスエリア内でリソースの割当てを制御できるにすぎないのであるから、セル間干渉が発生する。そのようなセル間干渉は、システム性能を悪化させ、システム容量を減少させる可能性がある。
【００１４】
従って、本発明の目的は、移動通信ネットワークにおけるアップリンクのセル間干渉を減少させることである。
【課題を解決するための手段】
【００１５】
上記の目的は、請求項１乃至１７に記載の基地局において用いられるように構成されたユニットと、請求項５１に記載のノードと、請求項５５に記載の基地局と、請求項４０乃至４１および４９乃至５０に記載のコンピュータプログラムとによって達成される。また、この目的は、請求項２４および４２に記載の方法によっても達成される。
【００１６】
好適実施形態が、従属項によって定義される。
【００１７】
干渉低減の目的で気付いているべき少なくとも第２の基地局に属する、移動端末もしくはチャネルの少なくとも１つの追加ＩＤの情報を管理する手段と、追加ＩＤによって識別された移動端末もしくはチャネルによって引き起こされたセル間干渉を低減する手段とを備えた、本発明の第１の態様による第１のユニットが、移動通信ネットワークにおけるアップリンクのセル間干渉を減少させることを可能にする。
【００１８】
少なくとも１つのＩＤを少なくとも第２の基地局が識別できるようにする目的で、移動端末を識別するための、または基地局によってサービス提供されるチャネルを識別するための、少なくとも１つのＩＤを予約する手段を備えた、本発明の第２の態様による第２のユニットが、移動通信ネットワークにおけるアップリンクのセル間干渉を減少させることを可能にする。
【００１９】
干渉低減の目的で気付いているべき少なくとも第２の基地局に属する、移動端末もしくはチャネルの少なくとも１つの追加ＩＤの情報を管理するステップと、追加ＩＤによって識別された移動端末もしくはチャネルによって引き起こされたセル間干渉を低減するステップとを備えた、本発明の第３の態様による方法が、移動通信ネットワークにおけるアップリンクのセル間干渉を減少させることを可能にする。
【００２０】
少なくとも１つのＩＤを少なくとも第２の基地局が識別できるようにする目的で、移動端末を識別するための、または基地局によってサービス提供されるチャネルを識別するための、少なくとも１つのＩＤを予約するステップを備えた、第４の態様による方法が、移動通信ネットワークにおけるアップリンクのセル間干渉を減少させることを可能にする。
【００２１】
本発明の利点は、利用可能なセル内リソースを大幅に減少させることなく、高速のピーク速度を高速のデータ速度ユーザに割当てることが可能であることである。
【００２２】
本発明のさらなる利点は、セル間干渉が実効的な干渉の中心となりうることから、セル内干渉がよく除去されることである。
【００２３】
典型的な状況では、高速のデータ速度は、セル間干渉を増加させないように非常に注意深く割当てられる。それは、高速のデータ速度での最悪の場合の動作は非常に処理が難しいということによる。本発明の利点は、そうでなければ厳密に観察されるマージンをセル間干渉から借りることが可能であることであり、なぜなら、その場合、最悪の場合の動作を回避することが望ましいからである。
【００２４】
本発明の目的および利点は、図面と併せてこの記述を読むことで明らかになるであろう。
【発明を実施するための最良の形態】
【００２５】
以下により詳細に、本発明の好適実施形態を示す添付の図面を参照しながら本発明について記述しよう。
【００２６】
しかし、本発明は、多くの異なる形態で実施されてもよく、本書で述べた実施形態に限定されると解釈されるべきではなく、むしろ、これらの実施形態は、この開示が十分かつ完全であって、当業者に本発明の適用範囲を十分に伝達するように提供されているのである。
【００２７】
本発明の目的は、割当てられたリソースが第１の基地局と第２の基地局の間でセル間干渉を引き起こす可能性があることを特徴とする少なくとも第２の基地局でどのリソースが割当てられているかを、第１の基地局に認識せることによって、達成される。これらの割当てられたリソースは、セル間干渉のリスクが高くなるという結果をもたらす、優先度の高いユーザによって割当てられていることが好ましい。従って、第１の基地局は、無線リソースすなわちチャネルを識別するためのＩＤによって、またはリソースが割当てられている移動端末を識別するためのＩＤによって、割当てられたリソースに気付いているため、第１の基地局はシステム性能を低下させる可能性のある干渉を低減することができる。
【００２８】
このようにして、この目的は、その基地局によってサービス提供される移動端末を識別するためのＩＤを、またはその基地局によって提供されるアップリンク方向のチャネルを識別するためのＩＤを、使用するように構成された移動通信ネットワーク内の基地局の中で使用されるように構成された第１のユニットによって達成される。本発明による第１のユニットは、干渉低減の目的で気付いているべき少なくとも第２の基地局に属する、移動端末もしくはチャネルの少なくとも１つの追加ＩＤの情報を管理する手段と、追加ＩＤによって識別された移動端末もしくはチャネルによって引き起こされたセル間干渉を低減する手段とを備える。
【００２９】
本発明の別の態様によると、上記の目的は、上記の第２の基地局の中で使用されるように構成された第２のユニットによって達成される。第２の基地局も、移動端末を識別するため、あるいはアップリンクのチャネルを識別するために、ＩＤを使用するように構成されている。第２の基地局に備えられた第２のユニットは、少なくとも１つのＩＤを第１の基地局が識別できるようにする目的で、移動端末を識別するため、またはチャネルを識別するためにＩＤ、すなわち追加ＩＤ、を予約する手段を備える。
【００３０】
移動端末またはチャネルを識別するのに使用されるＩＤには、一好適実施形態によると拡散符号が含まれている。拡散符号は、ＣＤＭＡに基づくネットワークおよびＯＦＤＭに基づくネットワークではスクランブリングコードと呼ばれてもよい。スクランブリングコードは、移動端末または移動端末に割当てられたチャネルを識別するために使用されてもよい。（ここで留意すべきだが、１つの移動端末に１つ以上のチャネルが同時に割当てられてもよい。）従って、スクランブリングコードは、予約済スクランブリングコードが少なくとも第２の基地局によって識別できるようにする手段が提供されていることを特徴とする、例えば優先度の高い、または高速データ速度のＥ−ＤＣＨ（エンハンスト専用チャネル）ユーザまたはチャネルのために、第２の基地局において予約されてもよい。ここで留意すべきだが、ユーザという用語は、この明細書では移動端末とも呼ばれるユーザ装置を指し示すのに用いられ、ユーザには１つ以上のチャネルが割当てられてもよい。従って、本発明によってどのリソースが割当てられるのかを第１の基地局に認識させるのに使用されることになるＩＤは、移動端末、チャネル、もしくはその組み合わせを識別するためのＩＤであってもよい。使用されることになるＩＤのもう１つの例は、タイムスロット番号および周波数と共に、ＧＳＭネットワーク内の移動端末およびセルを識別するのに用いられる、学習系列コードである。
【００３１】
好適実施形態による第１の基地局の中で用いられるように構成された第１のユニットは、第２の基地局で予約済のスクランブリングコードの情報を管理する手段を備える。そこで第１の基地局は、予約済スクランブリングコードによって識別された移動端末またはチャネルによって引き起こされるセル間干渉を低減することができる。各種のセル間干渉低減装置が用いられてもよい。これについては、さらに後述する。
【００３２】
どのスクランブリングコードが第２の基地局で予約されているのかという情報を、第１の基地局は、例えば下記の実施形態の１つを用いることによって取得する。
【００３３】
さらに、ノードがこの情報をさらに第１の基地局へ送信することを特徴とする、第２の基地局の中で用いられている第２のユニットは、第２の基地局のリソースを制御するノード、例えばＲＮＣまたはＢＳＣに属するＵＥの予約済ＩＤ、例えばアップリンクのスクランブリングコード、の情報を送信する手段を備えてもよい。あるいは、第２のユニットは、少なくとも１つの予約済ＩＤのために用いられるため、複数の事前定義されたＩＤをノード、例えばＲＮＣまたはＢＳＣで予約する手段と、これらのコードに割当てられることになる優先度の高いＥ−ＤＣＨユーザを選択する手段とを備えてもよい。従って本発明は、予約済ＩＤの情報を送受信する手段を備えた、例えばＲＮＣまたはＢＳＣのような、少なくとも１つの基地局を制御するノードにも関係する。予約済ＩＤを示す新たな情報要素が導入されてもよい。
【００３４】
第１の基地局で用いられることになる第１のユニットは、予約済ＩＤの情報をネットワーク内でそのノードから、例えばＲＮＣから受信するように構成されてもよい。しかし、例えば高速データ速度ユーザを意図した、予約済スクランブリングコードの情報もまた、ネットワークの配置においてハードコード化されてもよい。
【００３５】
第１の選択肢によると、ＲＮＣによって制御される基地局が、それらの対応するＲＮＣに接続された他の基地局についての予約済スクランブリングコードの通知を受ける（すなわち、他の基地局が同じＲＮＣに接続されることも別のＲＮＣに接続されることもあるだろう）。ＲＮＣは、同じ場所に位置してもよいが、それでもやはり別のＲＮＣエンティティを表す。
【００３６】
第２の選択肢によると、ノード（例えばＲＮＣ、Ｏ＆Ｍセンタ、または同様のもの）が、制御される各基地局に、隣接セルの基地局に属するＩＤを通知する。他の基地局の予約済ＩＤについての知識をどのようにして配布するかを決定する際にノードがガイド（手引き）として使えるよう、隣接セルのリストが使用されてもよい。
【００３７】
第３の選択肢によると、無線の観点から見て合理的な距離内でどのコードが現在割当てられているのかを、例えば隣接セル情報を用いて第１のユニットに通知するように、ノードが構成される。
【００３８】
本発明の好適実施形態によると、第１のユニットは、前記追加ＩＤによって識別された移動端末またはチャネルがアクティブであるかどうかを検出する手段を備える。第１の基地局で使用されることになる第１のユニットは、例えば割当てられたリソースを用いて移動端末のＩＤを知ることによって、第２の基地局で割当てられたリソースの情報を有していることから、第１の基地局は、干渉低減を第２の基地局の移動端末に適用することができる。従って、この好適実施形態によると、干渉低減は、識別された移動端末／チャネルがアクティブである場合に限って実行されることが望ましいことから、第１の基地局で第１のユニットが、まず、識別された移動端末／チャネルがアクティブかどうか、すなわち、第２の基地局に接続されているかどうかを検出することが望ましい。それは、接続されていない移動端末は、干渉低減の目的でのみ復号されることを意味し、復号されたデータ情報は、通常はＲＮＣへさらに送信されることはない。移動端末がアクティブであるかどうか検出する目的で、第２の基地局における識別された移動端末またはチャネルの受信電力が、第１の基地局によってサービス提供されている移動端末の電力と比較される。
【００３９】
それ以外に使用されてもよい干渉低減の方法として、多様な干渉低減とマルチユーザ検出（ＭＵＤ）がある。干渉低減の方法の例としては、個々のユーザを復号する処理と復号された情報を用いて干渉を再生して取り去る処理とをデコーダが切り替えることを特徴とする並行部分的干渉除去と、第１のユーザが復号され、その信号が再生され、次いで再生された信号が受信信号から差し引かれ、第２のユーザが残りの信号から復号され、次いでその信号が再生され、受信信号から最初の２つの再生された信号が差し引かれ、第３のユーザが残りの信号から復号されること等を特徴とする順次干渉除去とがある。
【００４０】
セル間干渉が低減すると、結果として、例えば優先度の高いＥ−ＤＣＨユーザからの対応する干渉の寄与が、予約済ＩＤを認識している基地局によって除去できるため、ユーザへのより高速の最大データ速度が可能になる。
【００４１】
予約済ＩＤの集合は、例えばシグナリングを介してリアルタイムで設定されてもよいし、例えば典型的には毎日または毎週行われる維持管理を介して定期的に設定されてもよい。
【００４２】
また本発明は、方法にも関する。第１の方法は、干渉低減の目的で気付いているべき少なくとも第２の基地局に属する、移動端末もしくはチャネルの少なくとも１つの追加ＩＤの情報を管理するステップと、追加ＩＤによって識別された移動端末もしくはチャネルによって引き起こされたセル間干渉を低減するステップとを備える。第１の方法に加えて、本発明は、追加ＩＤを第２の基地局で予約するための第２の方法に関連する。従って、第２の方法は、少なくとも１つのＩＤを第１の基地局が識別できるようにする目的で、移動端末を識別するため、または基地局によってサービス提供されるチャネルを識別するために少なくとも１つのＩＤを予約するステップを備える。
【００４３】
本方法は、コンピュータプログラムによって実装されてもよい。そのようなコンピュータプログラムは、本方法のステップを実行するソフトウェアコード手段を備えた、コンピュータの中の処理手段の中に直接ロード可能であってもよい。
【００４４】
コンピュータプログラムは、コンピュータ内で処理手段が方法のステップの実行を制御するようにさせるための可読プログラムを備えた、コンピュータで使用可能な媒体上に記憶されてもよい。
【００４５】
本発明のさらなる態様によると、基地局が、第１のユニットか、第２のユニットかを備えるが、できれば第１と第２のユニットの両方を備えることが好ましい。
【００４６】
詳細な説明では３Ｇとエンハンストアップリンクに焦点を当てているが、本発明は、一般に、例えばＧＳＭ、進化した３Ｇ、４Ｇ、ＯＦＤＭシステムのような、他のセルラーネットワーク内でセル間干渉を低減するのにも適用可能である。
【００４７】
図面および明細書において、本発明の典型的な実施形態を開示した。特定の用語が採用されているが、それらは一般的な説明の意味でのみ使われているのであって、限定を目的としたものではなく、本発明の適用範囲は、下記の請求項の中で述べられている。
【図面の簡単な説明】
【００４８】
【図１】本発明が実装されてもよいことを特徴とする通信システムを描いた図である。
【図１】
2009514325.tif 000003
【手続補正書】
【提出日】平成20年4月30日(2008.4.30)
【手続補正１】
【補正対象書類名】特許請求の範囲
【補正対象項目名】全文
【補正方法】変更
【補正の内容】
【特許請求の範囲】
【請求項１】
移動通信ネットワークにおける基地局で使用され、移動端末を識別するためのＩＤ又はアップリンクにおけるチャネルを識別するためのＩＤを使用するように構成された第１のユニットであって、
少なくとも第２の基地局に従属した移動端末又はチャネルについての少なくとも１つの追加的なＩＤの情報であって干渉低減工程において認識される必要のある情報を管理する管理手段と、
前記追加的なＩＤによって識別される移動端末又はチャネルによって引き起こされるセル間干渉を低減する低減手段と
を含むことを特徴とする第１のユニット。
【請求項２】
前記追加的なＩＤは、拡散符号である
ことを特徴とする請求項１に記載の第１のユニット。
【請求項３】
前記追加的なＩＤは、スクランブリング符号であり、
前記移動通信ネットワークは、ＣＤＭＡ又はＯＦＤＭを技術基盤としたネットワークである
ことを特徴とする請求項２に記載の第１のユニット。
【請求項４】
前記追加的なＩＤは、トレーニングシーケンスを含んでおり、
前記移動通信ネットワークは、ＧＳＭネットワークである
ことを特徴とする請求項１に記載の第１のユニット。
【請求項５】
前記ＩＤによって識別される前記移動端末又はチャネルがアクティブであるかどうかを検出する検出手段をさらに含み、
前記低減手段は、前記ＩＤによって識別される、アクティブな前記移動端末又はチャネルによって引き起こされるセル間干渉を低減する
ことを特徴とする請求項１に記載の第１のユニット。
【請求項６】
前記検出手段は、前記ＩＤを割り当てられた前記移動端末についての受信電力と前記基地局によってサービスを提供されている複数の移動端末についての受信電力とを比較する比較手段を含む
ことを特徴とする請求項１に記載の第１のユニット。
【請求項７】
前記低減手段は、マルチユーザ検出装置である
ことを特徴とする請求項１に記載の第１のユニット。
【請求項８】
前記受信された情報には、現時点において所定距離内に配置されている追加的なＩＤが含まれている
ことを特徴とする請求項１に記載の第１のユニット。
【請求項９】
標準化された情報要素として搭載された前記追加的なＩＤの情報を受信する手段をさらに含む
ことを特徴とする請求項１に記載の第１のユニット。
【請求項１０】
移動通信ネットワークにおける基地局で使用され、移動端末を識別するためのＩＤ又はアップリンクにおけるチャネルを識別するためのＩＤを使用するように構成された第２のユニットであって、
移動端末を識別するために使用される少なくとも１つのＩＤ又は前記基地局によってサービスを提供されているチャネルを識別するために使用される少なくとも１つのＩＤを、少なくとも第２の基地局において識別可能とするために、予約する予約手段を含む
ことを特徴とする第２のユニット。
【請求項１１】
前記少なくとも１つの予約済みＩＤとして使用するために、前記ノード装置において事前定義された複数のＩＤを予約する手段をさらに含む
ことを特徴とする請求項１０に記載の第２のユニット。
【請求項１２】
前記予約済みのＩＤは、拡散符号である
ことを特徴とする請求項１０に記載の第２のユニット。
【請求項１３】
前記予約済みのＩＤは、スクランブリング符号であり、
前記移動通信ネットワークは、ＣＤＭＡ又はＯＦＤＭを技術基盤としたネットワークである
ことを特徴とする請求項１２に記載の第２のユニット。
【請求項１４】
前記予約済みのＩＤは、トレーニングシーケンスを含んでおり、
前記移動通信ネットワークは、ＧＳＭネットワークである
ことを特徴とする請求項１０に記載の第２のユニット。
【請求項１５】
移動端末を識別するためのＩＤ又はアップリンクにおけるチャネルを識別するためのＩＤを使用するように構成され、移動通信ネットワークにおける基地局において実行される方法であって、
少なくとも第２の基地局に従属した移動端末又はチャネルについての少なくとも１つの追加的なＩＤの情報であって干渉低減工程において認識される必要のある情報を管理する管理ステップと、
前記追加的なＩＤによって識別される移動端末又はチャネルによって引き起こされるセル間干渉を低減する低減ステップと
を含むことを特徴とする方法。
【請求項１６】
前記追加的なＩＤは、拡散符号である
ことを特徴とする請求項１５に記載の方法。
【請求項１７】
前記追加的なＩＤは、スクランブリング符号であり、
前記移動通信ネットワークは、ＣＤＭＡ又はＯＦＤＭを技術基盤としたネットワークである
ことを特徴とする請求項１６に記載の方法。
【請求項１８】
前記追加的なＩＤは、トレーニングシーケンスを含んでおり、
前記移動通信ネットワークは、ＧＳＭネットワークである
ことを特徴とする請求項１６に記載の方法。
【請求項１９】
前記検出ステップは、前記ＩＤを割り当てられた前記移動端末についての受信電力と前記基地局によってサービスを提供されている複数の移動端末についての受信電力とを比較する比較ステップを含む
ことを特徴とする請求項１５に記載の方法。
【請求項２０】
認識される必要のある追加的なＩＤの情報を、前記基地局を制御しているノード装置から受信する受信ステップをさらに含む
ことを特徴とする請求項１５に記載の方法。
【請求項２１】
前記受信された情報には、前記ノード装置によって制御されている他の基地局に属している追加的なＩＤが含まれている
ことを特徴とする請求項２０に記載の方法。
【請求項２２】
前記受信された情報には、前記基地局に隣接している隣接セルの基地局に属している予約済みのスクランブリング符号が含まれている
ことを特徴とする請求項２０に記載の方法。
【請求項２３】
移動端末を識別するためのＩＤ又はアップリンクにおけるチャネルを識別するためのＩＤを使用するように構成され、移動通信ネットワークにおける基地局において実行される方法であって、
移動端末を識別するために使用される少なくとも１つのＩＤ又は前記基地局によってサービスを提供されているチャネルを識別するために使用される少なくとも１つのＩＤを、少なくとも第２の基地局において識別可能とするために、予約する予約ステップを含むことを特徴とする方法。
【請求項２４】
前記少なくとも１つの予約済みＩＤとして使用するために、前記ノード装置において事前定義された複数のＩＤを予約するステップをさらに含む
ことを特徴とする請求項２３に記載の方法。
【請求項２５】
移動端末を識別するためのＩＤ又はアップリンクにおけるチャネルを識別するためのＩＤを使用するように構成された、移動通信ネットワークにおける基地局であって、
請求項１ないし９のいずれか１項に記載された第１のユニット、
請求項１０ないし１４のいずれか１項に記載された第２のユニット、又は、
該第１のユニット及び該第２のユニットの双方
を含むことを特徴とする基地局。
【国際調査報告】
2009514325.tif 000004
2009514325.tif 000005
2009514325.tif 000006
2009514325.tif 000007